(57)【要約】【目的】適正な加圧力を設定可能とし、携帯時や筆記具の未使用時に於いて、不用意に筆記先端部に外力が懸かってもインキが吹出る問題を回避可能とする。【構成】先端にボールペンのチップと後方にインキ収容部を備え、インキ収容部にインキとインキの後端にインキと追随するフォロアが充填され、更にフォロアの後方に常時フォロア後端部側への通気を遮断する弁機構部が一体に設けられてなるボールペンリフィールと、そのボールペンリフィールを搭載して先軸先端からチップ先端部を出没可能とするノック式筆記具であって、ボールペンリフィールの後方にポンピング式の加圧機構が設けられ、その加圧機構のポンピング作動によって弁機構部が開口すると共に、空気が送り込まれてフォロアの後端が加圧されるように構成されてなる。【選択図】                図１
2004291248.tif 000002
【特許請求の範囲】
【請求項１】
先端にボールペンのチップと後方にインキ収容部を備え、インキ収容部にインキとインキの後端にインキと追随するフォロアが充填され、更にフォロアの後方に常時フォロア後端部側への通気を遮断する弁機構部が一体に設けられてなるボールペンリフィールと、
そのボールペンリフィールを搭載して先軸先端からチップ先端部を出没可能とするノック式筆記具であって、
ボールペンリフィールの後方にポンピング式の加圧機構が設けられ、その加圧機構のポンピング作動によって弁機構部が開口すると共に、空気が送り込まれてフォロアの後端が加圧されるように構成されてなるノック式筆記具。
【請求項２】
ポンピング式の加圧機構は、弁機構部に対面する後方にノック機構部が設けられてなり、そのノック機構部のノック棒を前進させた時に弁機構部とノック棒の前端との間に形成される空間部が圧縮され、更に前進して空間部が適宜圧縮された時に、弁機構部の遮断状態が解除されるようにノック棒の前端に当接する凸部が弁体の後方に設けられてなる請求項１に記載のノック式筆記具。
【請求項３】
ノック作動によって軸筒に対し進退位置に係止可能となるノック筒の内孔部前方に前記ボールペンリフィールが着脱自在に密嵌され、またノック筒の内孔部後方にポンピング式の加圧機構が設けられて、先軸先端からチップ先端部を突出させた状態で、ノック棒後端を押圧することによってポンピング式の加圧機構を作動させるように構成されたことを特徴とする請求項１に記載のノック式筆記具。
【請求項４】
ポンピング作動操作の終端位置で更なる操作を加えることによってノック棒を更に前進させ、ノック棒の外周部と後軸筒の内周部との密接状態を解除させて、フォロアの後端と外気が通気可能となる請求項２に記載のノック式筆記具。
【発明の詳細な説明】
【０００１】
【産業上の利用分野】
本発明は、初期筆記でインキ切れしやすいインキを使用したボールペン、乾燥しやすいインキを使用したボールペン、インキに種々のフィラーが混入されたボールペン、紙面に筆記した筆跡が消しゴムでの擦過により容易に消去できるインキが充填されたボールペン、誤記等を白色のインキで隠蔽することで修正可能とするボールペン、などの加圧式のノック式筆記具に関する。
【０００２】
【従来の技術】
【特許文献１】特開平８−５２４０７
【特許文献２】特表平７−５０６８６２
【特許文献３】特開２００１−１５０８６５
【特許文献４】特開２００１−１７１２８６
【特許文献５】実開昭６３−９８７７６
従来、誤記等を修正するために白色顔料を用いた液体塗布具が知られている。また、白色顔料と溶剤が分離しやすい為にこの種の液体塗布具は可撓性のある容器にインキとボール等が封入されており、使用に際して振って攪拌する必要がある。また、インキを吐出する為に容器の側面を押圧して行うが、インキ残量が少なくなった時には容器の側壁を強く押してもインキが吐出されないという苛立たしさがある。（特許文献１）
また、剪断減粘性を有するインキを使用して、攪拌しないですむものも知られているが、上向きで塗布したときにインキが逆流してインキ切れしやすい問題が存在する。（特許文献２）
また、軸筒の後端にポンピング式の加圧機構部が設けられ、更にその前方で且つインキの後端に接触してインキの消耗と共に追随するよう配設されたフォロアの後端に位置して弁機構が配設され、加圧機構部の前進作動によって軸筒の後端孔に空気が押し込まれて、その際に所定圧で弁が開いてフォロアの後端が加圧されることによってインキのチップ側への流動性が支援されるように構成されたものが提案されている。（特許文献３）
しかしながら、このものは弁機構のバラツキ（弁の開閉に作用するスプリングのバラツキ、スリットを弾性的に開閉するゴム製弁体の寸法バラツキなど）で適正な加圧力が設定できないなどの問題がある。また、ボールペンの未使用時に於いて、加圧力が所定の設定値を越えた状態となっていた場合、不用意に筆記先端部に外力が懸かってインキが吹出るという問題がある。
また、ノック式筆記具に搭載されたものも知られている。（特許文献４）
また、後端に加圧機構を設けて、ポンピング作用によってインキの流出を支援すると共に、インキの逆流が防止可能となるものが知られているが、インキの性質や機構のバラツキなどによって適正な加圧が発揮できずに異常にインキが吐出してしまったり、少なすぎたりする問題がある。（特許文献５）
【０００３】
一般に粘性の低いインキ又は剪断減粘性を有したインキを使用したボールペンは、インキの流出量が多く（筆記濃度を上げるため）インキ収容管の径を太くしてインキの搭載量を多くしている。また、インキの粘度は油性ボールペンのインキに比べて小さいのでインキ収容管に対する流動抵抗は小さい。従って、インキの自重や落下あるいはノック衝撃が加わることによりインキ漏れ（インキ収容管の後端にインキが逆流する）が生じやすい。その為に、通常はインキの後端に筆記時のインキの消耗に追随して移動するが、インキの自重や衝撃に対してインキの逆流を抑制するグリース状のフォロアが、また、必要によりフォロア棒がフォロア内に浸漬されて設けられている。しかしながら、フォロアを設けても上向き筆記をした時にはチップのボール背面のインキが無くなると、インキのヘッドが直に加わる為に顕著な逆流が生じて手や衣服を汚す危険がある。また、インキの粘度が低く流出量が多いが故に、チップ側を下向きにした場合に先端ボールとチップ抱持部の隙間が生じるとインキが滲みでる（直流）問題が存在する。
特に、誤記等を修正するために白色顔料を用いた液体塗布具の場合には、インキの流量を多くすることや、乾燥による目詰まり排除などの理由で、筆圧によって先端ボールが後退する寸法が大きくとってあり、先端ボールの周面とチップのボール抱持部の内面との間の隙間が大きい。
【０００４】
【発明が解決しようとする課題】
本発明は、初期筆記でインキがとぎれやすいインキを使用したボールペン、インキに種々のフィラーが混入されたボールペン、紙面に筆記した筆跡が消しゴムでの擦過により容易に消去できるインキが充填されたボールペン、誤記等を白色のインキで隠蔽することで修正可能とするボールペンなどを加圧作用で支援して筆記可能とする加圧式のノック式筆記具を安価に提供可能とする。
また、仕様に応じた適正な加圧力を容易に設定可能とし、携帯時や筆記具の未使用時に於いて、不用意に筆記先端部に外力が懸かってもインキが吹出る問題を回避可能とする。
また、フォロアの後端を押圧する加圧力を外気圧から徐々に上げていったところインキの流出量が増加し、筆記描線の濃度や線幅がやや太くなることから、ポンピングによる加圧機構の圧力設定を変換して筆記描線が変換可能となる便利な加圧式のノック式筆記具を提供可能とする。
【０００５】
【課題を解決するための手段】
本発明は、上記課題を達成する為に以下の構成を有する。
請求項１に記載の発明に係るノック式筆記具は、先端にボールペンのチップと後方にインキ収容部を備え、インキ収容部にインキとインキの後端にインキと追随するフォロアが充填され、更にフォロアの後方に常時フォロア後端部側への通気を遮断する弁機構部が一体に設けられてなるボールペンリフィールと、そのボールペンリフィールを搭載して先軸先端からチップ先端部を出没可能とするノック式筆記具であって、ボールペンリフィールの後方にポンピング式の加圧機構が設けられ、その加圧機構のポンピング作動によって弁機構部が開口すると共に、空気が送り込まれてフォロアの後端が加圧されるように構成されてなる。
【０００６】
請求項２に記載の発明に係るノック式筆記具は、請求項１に記載のノック式筆記具に於いて、ポンピング式の加圧機構は、弁機構部に対面する後方にノック機構部が設けられてなり、そのノック機構部のノック棒を前進させた時に弁機構部とノック棒の前端との間に形成される空間部が圧縮され、更に前進して空間部が適宜圧縮された時に、弁機構部の遮断状態が解除されるようにノック棒の前端に当接する凸部が弁体の後方に設けられてなる。
【０００７】
請求項３に記載の発明に係るノック式筆記具は、請求項１に記載のノック式筆記具に於いて、ノック作動によって軸筒に対し進退位置に係止可能となるノック筒の内孔部前方に前記ボールペンリフィールが着脱自在に密嵌され、またノック筒の内孔部後方にポンピング式の加圧機構が設けられて、先軸先端からチップ先端部を突出させた状態で、ノック棒後端を押圧することによってポンピング式の加圧機構を作動させるように構成されてなる。
【０００８】
請求項４に記載の発明に係るノック式筆記具は、請求項２に記載のノック式筆記具に於いて、ポンピング作動操作の終端位置で更なる操作を加えることによってノック棒を更に前進させ、ノック棒の外周部と後軸筒の内周部との密接状態を解除させて、フォロアの後端と外気が通気可能となる。
【０００９】
【実施例】
先ず、ボールペンリフィールを搭載し、そのボールペンリフィールの後方にポンピング式の加圧機構が設けられて、先軸先端から筆記先端部を出没可能に係止すると共に、筆記先端部を突出した際にノック操作によって加圧を行うノック式筆記具は通常知られた機構によって様々に構成することが可能である。
図１乃至図８は、本発明の一実施例であるノック式筆記具を示している。
このノック式筆記具は、前端及び後端を開口して側面の円周上の一部に後端縁から所要距離前方位置まで連通した軸方向の長い窓孔１ｄを穿設した軸筒１と、軸筒１の窓孔１ｄに対向する位置に上方向及び横方向に弾性変位可能な玉部１ｂを有して当該玉部１ｂには係止段部１ｃを設け、また後端部には軸筒１と接合した基部１ｅを有するクリップ１ａを樹脂により一体成形し、また前端を開口したコの字状の基部１ｅの上端にはスリットに囲まれた箇所を弾性片１ｆとなし、当該弾性片１ｆの下端には適宜傾斜面１ｇが形成されている。また、軸筒１の前端には先軸２が螺合などの手段により着脱可能で固定されている。
【００１０】
また一方、詳細は後述するが、ボールペンリフィールの継ぎ手部６の前軸部６ａにリターンスプリング４を嵌装した状態で軸筒１の後端開口部から軸筒１の内部に挿入して、リターンスプリング４の前端は先軸２の内段部２ｃに当接させ、後端は継ぎ手部６の段部６ｅに当接させている。
【００１１】
またノック筒３は、前端開口、後端閉塞上の筒体で、外周部の同軸線上に前方から係止突起３ａ、リブ３ｂ、セーフティ片３ｃが一体に形成され、軸筒１の窓孔１ｄに嵌装し、セーフティ片３ｃの後端が上記クリップ１ａの基部１ｅに設けた弾性片１ｆの前端の段部１ｈに当接して抜け止め係止されている。
また、ノック筒３の前端内孔部には雌螺子部３ｉが形成され、ノック筒３内孔の後方には、ポンピング式の加圧機構が設けられている。
また、ポンピング式の加圧機構は、後述するようにボールペンリフィール後端の弁機構部に対面するノック機構部として設けられている。
【００１２】
図３は上述したボールペンリフィール５を示している。
ボールペンリフィール５のインキ収容部１０内には、低粘度のインキや剪断減粘性を有したインキ等が充填され、そのインキ１１の後端にインキの消耗と共にインキと追随するグリース状のフォロア１２が充填されている。また、フォロア１２はインキと相溶性が無くまたインキの蒸発を防止する性能を有している。また必要に応じてフォロア１２内にフォロアと略同等の比重を有する樹脂製のフォロア棒が浸漬される。尚、フォロアは例えばシリコンゴム等の追従体とすることも可能である。
【００１３】
誤字修正用の場合、
白色顔料インキ１１は、酸化チタン、高分子中空微粒子等の白色顔料とゲル化剤を含み、顔料の沈降が防止されると共に流動性が極力損なわれないように配合された白色顔料インキである。また、インキは剪断減粘性を有しているので先端ボールの回転で粘度が低下するのと相まって隠蔽性の高い塗布が可能である。
【００１４】
継ぎ手部６の鍔部６ｂの前方に前軸部６ａが、鍔部６ｂの後方にインキ収容部１０が一体に形成され、更にインキ収容部の前端外周部には雄螺子部６ｃが形成されて、前軸部６ａ先端のチップ嵌着孔６ｈに先端ボール８を抱持したチップ７の軸部７ａが固着されている。
また、チップ７はインキ流入可能なチャンネルを有した座に先端ボール８が略当接した状態で、先端ボール８が回転自在に抱持されるようカシメられている。また、チップ７の内孔部にスプリング９が内挿され、チップの軸部７ａの後端が適宜カシメられてスプリング９の後端が抜出不能となされている。
尚、継ぎ手部とインキ収容部は別部材で構成することもできる。
また、継ぎ手部及びインキ収容部は一例として透明のＰＰ樹脂やナイロン樹脂成形品等が使用される。
【００１５】
また、スプリング９の先方には直線状の棒軸部９ａが形成され、当該棒軸部９ａの先端が先端ボール８の背面に押圧状態に当接している。
また、先端ボール８はその押圧でチップ７のボール抱持部（カシメ等で形成）の内縁に密接状態と成されている。尚、スプリングの前面に先端ボール８の背面を押圧する押し部材を設けることも、また、上記棒軸部を極細巻きのコイル状となすことも可能である。また更に、チップを耐磨耗性やインキのシール性能に優れた樹脂成型品となして、先端ボールの背面を押圧するバネ座を一体または別体のバネ座を設けて構成することも可能である。
【００１６】
また、先端ボール８がボール抱持部の内面に密接することはインキが高粘度であっても筆記先端の乾燥、インキの直流防止に対し極めて重要である。
即ち、本願のような主に誤記修正塗布用のボールペンは、インキの吐出量を多くする為に、筆記用のボールペンに比較して先端ボールの後退する寸法が大きく設定されている。また、必要に応じて先端ボール８を抱持するチップ内面の表面粗さ、カシメによる密接精度を改善する為に内面の研削仕上げ、カシメ精度を上げる為の二次的な塑性加工などが配慮される。また、必要によっては先端ボールとの密接面に表面処理などが配慮される。
【００１７】
またインキの逆流防止を完璧と成すために、上記チップ嵌着孔６ｄの後方に弁室を設け、弁室の後部にテーパー状または球面状の弁体受け座と後方に連通する導孔を形成して、その弁室内に球状の弁体が遊嵌されると共に、チップ７を上向きにした状態で導孔を閉塞してインキの逆流を防止し、下向きにした状態では弁体がチップの後端孔を閉塞しない状態に規制してインキがチップ内孔部に流入するように構成することができる。尚、弁体は弁体受け座に密接する側をテーパー状または球面状に成した軸状体とすることも可能である。
【００１８】
また、インキ収容部１０の後端には弁機構部が一体に設けられている。
インキ収容部１０の後端孔にはブッシュ１３の外周が液密状に固着され、そのブッシュ１３の内孔略後端には、テーパー状または球面状の受け座１３ｄとその軸心に貫通して通気口１３ｅが設けられ、また受け座１３ｄの前方には、スリ割り部１３ａを設けて外側に変位可能となる弾性片１３ｂが形成され、その弾性片１３ｂの軸心側に張出して段部１３ｃが設けられて、弁体１４が段部１３ｃを弾性変位させて挿入され、更に、弁体１４と段部１３ｃとの間にスプリング１５が敷設されて、受け座１３ｄに弁体１４が常時密接するように設けられて弁機構部が構成されている。また、弁体１４の当接面の後方に軸状の凸部１４ａが設けられ、その凸部１４ａが通気口１３ｅを貫通した状態に遊挿されている。
【００１９】
ボールペンリフィール５は、インキ収容部１０がノック筒３の内孔部に挿入され、雄螺子部６ｃがノック筒３の雌螺子部３ｉに螺合されてインキ収容部の後端が密嵌される。尚、密嵌状態を確実化するために螺子部とは別にインキ収容部の外周とノック筒の内周（内孔部）との間にシール部を設けることもできる。また、インキ収容部１０の後端外周、ブッシュ１３の後端外周をノック筒３の内孔部周面に密接させてシールさせることも可能である。
【００２０】
ノック筒３の後端部側面には、後端側から先方に向かって細くなるテーパー状のスリット部３ｅが形成され、その前端に後段部３ｆを有して軸方向前方所定長さのスリット部３ｄが形成されている。また、内孔部の前方に仕切り状の段部３ｇが形成され、その段部３ｇの中心にはボールペンリフィール５を挿着した時にブッシュの通気口１３ｅと連通する孔が設けられている。
ノック棒１６は、後端に鍔状の摘み部１６ｂとその前方に軸部が形成され、軸部外周の略中間に突部１６ａと軸部外周の略前端に周状の溝部１６ｃが設けられて、その溝部１６ｃに一例としてゴム等の弾性体や弾性のある成形樹脂などより成るシールリング１７が止着されている。尚、シールリング１７は、気密性、滑り性のよいものが選択される。また、他潤滑剤を介在させるなど配慮される。また、シールリング部は軸部外周に一体に形成することも可能である。
【００２１】
またノック棒１６は、ノック筒３の後端から挿入され、その前端とノック筒の段部３ｇとの間にノックスプリング１８が敷設されると共に、突部１６ａが上記テーパー状のスリット部３ｅを弾性的に拡開して、突部１６ａが段部３ｆの前面に係止され、ノックスプリング１８によってノック筒３に対しノック棒１６は常時後方に附勢される。
以上により、弁機構部の後方にノック機構部が配設される。
【００２２】
ノック棒１６の軸部前方がノック筒３の後端孔に嵌入すると、シールリング１７の外周部が後端孔の内周部に摺接する。そのとき、シールリング１７は、スリット部３ｄの略前端にかかる直前の状態に位置しており、従って、弁体１４の背面（ボールペンリフィールがノック筒に挿着された状態で）とノック棒１６の前端との間に形成される空間部は外気と連通している。即ち、ノック棒１６の前進作動の直前において、空間部は外気と連通され、ノック棒１６が適宜前進した直後においてシールリング１７の外周部がノック筒３の内周部３ｊに密接することで外気と遮断され、空間部の縮小と共に加圧されるよう構成されている。また、ノック棒１６を前進して空間部を適宜圧縮した状態で、弁体１４の受け座１３ｄとの密接状態が解除されるようにノック棒１６の前端が弁体の凸部１４ａの後端に当接することになる。
【００２３】
図６に示されるように、ノック棒１６の側面には突部１６ａが設けられ、スリット部には、スリット部３ｄの前段部３ｌからノック筒３の周面に沿った傾斜状のスリット部３ｍを経由して水平な溝部３ｋで設けられている。また図６は、ノック棒１６がポンピング作動操作の終端位置から更なる回転操作でノック筒３に対して最前進した状態で突部１６ａが溝部３ｋに係止された状態を示している。ところで、ノック筒３の内周部３ｊの前端に適宜拡大した内周部３ｈが設けられており（内周部３ｊに対して適宜拡大した筋状の溝部を所要箇所で設けてもよい。）、シールリング１７は、ノック棒１６が最前進した状態で図５に示されるように内周部３ｈに位置して、外周部に隙間が生じることによって弁体１４の前方から外気に連通する通気路が形成され、フォロア１１の後端は外気と通気した状態に維持される。尚、その内容については作用の欄で更に説明する。
【００２４】
図７は、ノック棒１６に設けられたシールリング１７の外周部がノック筒の内周部に摺接する他の実施形態を示している。
図に示すように、ノック筒２０の内孔には、スリット部２０ｂの前段部２０ｃよりやや前方にリング２１が固定され、そのリング２１の内径はその前方のノック筒の内周部２０ａの内径より適宜小さく設定されている。
【００２５】
また図８は、ノック棒１６に設けられたシールリング１７の外周部がノック筒の内周部に摺接する更に他の実施形態を示している。
図に示すように、ノック筒２２は、後側２３と前側２４の二部品で構成され、前側２４の後端に筒部２４ｂが一体に設けられ、後側２３の内孔にシールリング１７が摺接する内周部２３ａとその前方に適宜拡大した内周部２３ｂが一体に形成されて、ボールペンリフィール５の後方部外周が筒部２４ｂの内孔部に密嵌状に固定されている。
以上、弁機構部やポンピング式のノック機構部の構成を上記で説明したが、弁機構部やノック機構部は設計都合によって種々の形態が採用可能である。
【００２６】
以上により、ノック棒１６の後端を押圧してノック筒３を前進させると、係止突起３ａがクリップ１ａの玉部１ｂを押し上げてその前方に移動して、係止段部１ｃと係合する状態に位置したときに、ボールペンリフィール５のチップ７が先軸２の先端孔２ａから突出する。（図２参照）
また、クリップ１ａの先端部を僅かに上方へ又は横方向へ弾性変位させて係止段部１ｃと係止突起３ａの係合を解除したときに、リターンスプリング４によってボールペンリフィール５をセーフティ片３ｃが弾性片１ｆの段部１ｈに衝合するまで後退せしめた状態でチップ７が先軸２内部に没入するように各部の寸法を適宜に設定して構成している。尚、ボールペンリフィール５の交換は軸筒１から先軸２を外して行う。
【００２７】
【作用】
先ず、図１はノック式筆記具の携帯時を示すものである。この状態から、ノック棒１６の後端を押圧してノック筒３を前進させると、係止突起３ａがクリップ１ａの玉部１ｂを押し上げてその前方に移動して係止段部１ｃと係合したときにボールペンリフィール５のチップ７が先軸２の先端孔２ａから突出する。（図２参照）この状態では、弁体１４の背面とノック棒１６の前端との間の空間部はスリット部３ｄを通じて外気と連通しており、リターンスプリング４に対してノックスプリング１８の設定力は十分強くなるようにバランスがとられている。
また、再びノック式筆記具を携帯する時には、クリップ１ａの先端部を僅かに上方へ又は横方向へ弾性変位させて係止段部１ｃと係止突起３ａの係合を解除すると、リターンスプリング４によってボールペンリフィール５が後退し、チップ７が先軸２内部に没入する。
【００２８】
次に、ポンピング式の加圧機構の作用を以下に説明する。
図２に示す状態からノック棒１６の後端を押圧して前進させると、継ぎ手６の前端６ｆが先軸２に設けた段部２ｂに当接して、ボールペンリフィール５及びノック筒３の前進が阻止されると共に、ノック棒１６のみが前進を開始する。
シールリング１７の外周部がノック筒３の内周部３ｊ全周に密接した時点で弁体１４の背面とノック棒１６の前端との間の空間部が外気と遮断されると共に、ノック棒１６が更に前進することによってシールリング１７の外周部がノック筒３の内周部３ｊに密接して摺動し、空間部の縮小と共に内圧が上昇する。
また、ノック棒１６を前進して空間部を適宜圧縮した状態で、弁体１４の受け座１３ｄとの密接状態が解除されるようにノック棒１６の前端に設けられた凸部１６ｄが弁体１４の後端に当接し、加圧された空気が弁体の前方に押し込まれることによって、フォロア１２の後端が加圧されてインキのチップ側への流動性が支援される。
【００２９】
そのことは、落下衝撃やインキの流動性の悪さ等に起因して先端ボールの周面からインキが離れてしまい連続的なインキの流出がとぎれるのを防止する作用ととぎれた時に回復する作用となる。
また、インキの特性などによって適正な加圧力が設定される。その場合、シールリング１７の外周部がノック筒３の内周部全周に密接する時の最初の空間部の容積とノック棒１６の前端が弁体１４の凸部１４ａの後端に当接した時の空間部の容積を幾らにするか、シール部のリーク値などを勘案して設定することが可能となる。また、ノック棒１６の前端が弁体の凸部１４ａの後端に当接することによって、弁体１４を押圧するスプリング１５の強さが所定の強さより強い方にばらついても加圧力が設定維持可能となる。
【００３０】
また、実施例は、上記の状態からノック棒の摘み部１６ｂを一方に回転すると、ノック棒の突部１６ａが溝部３ｋに係止される。（図６参照）
また、この状態は図５に示されるようにノック棒１６が最前進した状態を示している。このとき、シールリング１７は、ノック筒３の内周部３ｊの前端に適宜拡大して設けられた内周部３ｈに位置して外周部に隙間が生じることによって弁体１４の前方から外気に連通する通気路が形成され、フォロア１１の後端は外気と通気した状態に維持される。
従って、ボールペンの未使用時に於いて、不用意に筆記先端部に外力が懸かっても加圧によってインキが吹出る問題が回避可能となる。
【００３１】
フォロアの後端を押圧する加圧力が増大すると、チップ先端部からのインキの流出量が増加し、筆記描線の濃度や線幅が太くなる。
実施例に於いては、大気圧に連通した状態と所定圧に加圧された２段階に調節されるので筆記描線も２段階の変化が期待できる。
ノック棒の前端が弁体の凸部の後端に当接する間隔を段階的に変換可能とすることによって加圧力が段階的に変化して筆記描線を細字、中字、太字などにイメージングすることができる。
【００３２】
次に、ボールペンリフィール５の機能について説明する。
先ず、筆記しない状態ではスプリング９の押圧で先端ボール８がチップ抱持部の内縁に密接されるのでインキ１１の直流及び逆流が防止される。また、筆圧により先端ボール８が微小に後退するので隙間を生じてインキが流出可能となり、筆記により先端ボール８の回転でインキが流出されて筆記される。
スプリング９の押圧が無い場合でも、インキの粘度があまり低く過ぎたり、あるいはインキの充填量が多過ぎたり、インキ収容管が太過ぎたりしない場合には、フォロアの後端が加圧されるのでインキが直流や逆流が防止できる。
しかしながら、チップ７を上向きにして筆記したり、ノック式筆記具に搭載した場合のノック衝撃の繰り返しなどを考慮するとインキの直流及び逆流防止のためにスプリング９で押圧することが望ましい。
【００３３】
また、フォロア棒はインキ収容管が大径である場合に使用される。即ち、グリース状のフォロアは、インキ収容部が大径の場合に衝撃などの影響で変形を受け破壊されやすいという問題がある。フォロア内にフォロアと略同等の比重を有する樹脂製のフォロア棒を浸漬させることにより剛性を上げることが可能となる。
【００３４】
また、インキの直流及び逆流はスプリングによる先端ボールへの押圧で果たされるが、先端ボールをボール抱持部の内縁にスプリングの押圧によって密接させると共に、その後方に弁体を遊嵌した弁室を設けてチップ上向きで弁体が導孔を閉塞するように併設して設けることで、ボール抱持部の加工バラツキによる先端ボールとの密接不完全状態や、ボール抱持部と先端ボールとの隙間に固形物が付着した場合の密接不完全状態が生じてもインキの逆流が確実に防止できる。
【００３５】
上述したフォロア棒や弁体を有したインキの逆流防止構造は、インキ収容部が大径で逆流しやすい場合や、上向き筆記を繰り返した時や衝撃が掛かった時に性能を発揮するものであって構成要素として必須のものではなく、特に誤記修正用のボールペンは上向きに使用されることはまず無いので必ずしも必要としない。
【００３６】
【発明の効果】
本発明の加圧式のボールペンの構成及び作用は以上の如くであり、初期筆記でインキ切れしやすいインキを使用したボールペンが加圧作用に支援されて筆記可能となる。また、酸化チタン、高分子中空微粒子等の白色顔料とゲル化剤を含み、顔料の沈降が防止されると共に流動性が損なわれないように配合された白色顔料インキと、ポンピングによる加圧機構を設けることによって、従来のように白色顔料と溶剤とが分離するような問題がなく、従ってインキを攪拌する必要がなく、筆記に際して容器の側面を押圧する煩わしさが無い誤記修正用のボールペンが提供可能となる。
【００３７】
また、先端ボール径が異なる場合（筆記描線が変化すると共に、インキの流出量が増減する。）、チップ寿命とインキの充填量のバランスをとるためにインキ収容部の内径が変化しても、またインキ収容部の長さが変化してもボールペンリフィールをノック式筆記具に問題なく搭載できる。（互換性）
また、性能の異なるボールペン、インキ流出量の異なるボールペンが、弁機構部（弁体の凸部の長さ）を適正に選ぶことでボールペンリフィールとしてノック式筆記具に問題なく搭載できる。（互換性）
また、ノック棒の前端を弁体の後方に設けられた凸部の後端に当接させることによってインキの特性などによって適正な加圧力が設定可能となり、弁体を押圧するスプリングの強さが所定の強さより強い方にばらついても所定の加圧力に設定可能である。
【００３８】
また、携帯時などボールペンの未使用時に於いて、加圧状態が解除できるので、不用意に筆記先端部に外力が懸かっても加圧によってインキが吹出て周囲を汚損する等の問題が回避可能となる。
また、フォロアの後端を押圧する加圧力を変換することでインキの流出量が増減することから、同じボールペン筆記体に対して、ポンピングによる加圧力を段階的に選ぶことによって筆記描線の濃度や線幅が変換可能となる便利な加圧式のボールペンを提供可能とする。
【図面の簡単な説明】
【図１】本発明の一実施例であるノック式筆記具の一部非断面の縦断面図で、筆記先端が没入した状態を示している。
【図２】ノックして、筆記先端を突出した状態に於ける一部非断面の縦断面図である。
【図３】ボールペンリフィールの全体を示す縦断面図である。
【図４】ポンピング前進した状態の加圧機構部を拡大して示した断面図である。
【図５】ノック棒を最前進した状態の加圧機構部を拡大して示した断面図である。
【図６】ノック棒を最前進した状態に係止した状態を示す図である。
【図７】ノック棒に設けられたシールリングの外周部がノック筒の内周部に摺接する状態の他の実施形態を示す図である。
【図８】ノック棒に設けられたシールリングの外周部がノック筒の内周部に摺接する状態の更に他の実施形態を示す図である。
【符号の説明】
１          軸筒
１ａ      クリップ
１ｂ      玉部
１ｃ      係止段部
１ｄ      窓孔
１ｅ      基部
１ｆ      弾性片
１ｇ      傾斜面
１ｈ      段部
２          先軸
２ａ      先端孔
２ｂ      段部
２ｃ      内段部
３          ノック筒
３ａ      係止突起
３ｂ      リブ
３ｃ      セーフティ片
３ｄ      スリット部
３ｅ      テーパー状のスリット部
３ｆ      後段部
３ｇ      段部
３ｈ      内周部
３ｉ      雌螺子部
３ｊ      内周部
３ｋ      溝部
３ｌ      前段部
３ｍ      傾斜状のスリット部
４          リターンスプリング
５        ボールペンリフィール
６          継ぎ手部
６ａ        前軸部
６ｂ      鍔部
６ｃ        雄螺子部
６ｄ      チップ嵌着孔
６ｅ      段部
６ｆ      前端
６ｈ      チップ嵌着孔
７        チップ
８        先端ボール
９        スプリング
９ａ      棒軸部
１０      インキ収容部
１１      インキ
１１ａ    空間部
１２      フォロア
１３      ブッシュ
１３ａ    スリ割り部
１３ｂ    弾性片
１３ｃ    段部
１３ｄ    受け座
１３ｅ    通気口
１３ｆ    鍔部
１４      弁体
１４ａ    凸部
１５      スプリング
１６      ノック棒
１６ａ    突部
１６ｂ    摘み部
１６ｃ    溝部
１７      シールリング
１８      ノックスプリング
２０      ノック筒
２０ａ    内周部
２０ｂ    スリット部
２０ｃ    前段部
２１      リング
２１ａ    内周部
２２      ノック筒
２３      後側
２３ａ    内周部
２３ｂ    内周部
２４      前側
２４ａ    ブッシュ
２４ｂ    筒部
【図１】
2004291248.tif 000003
【図２】
2004291248.tif 000004
【図３】
2004291248.tif 000005
【図４】
2004291248.tif 000006
【図５】
2004291248.tif 000007
【図６】
2004291248.tif 000008
【図７】
2004291248.tif 000009
【図８】
2004291248.tif 000010